(57)【特許請求の範囲】
【請求項１】
無線通信システムにおけるＵＥ（ｕｓｅｒ  ｅｑｕｉｐｍｅｎｔ）により作動する方法であって、前記方法は、
基地局から、第１の用途を指示する情報及び少なくとも一つの第１のＣＳＩ（ｃｈａｎｎｅｌ  ｓｔａｔｅ  ｉｎｆｏｒｍａｔｉｏｎ）ＲＳ（ｒｅｆｅｒｅｎｃｅ  ｓｉｇｎａｌ）構成を有する第１のＩＥ（ｉｎｆｏｒｍａｔｉｏｎ  ｅｌｅｍｅｎｔ）を受信し、前記基地局から、前記第１の用途とは異なる第２の用途を指示する情報、及び、前記少なくとも第１のＣＳＩ  ＲＳ構成とは異なる少なくとも一つの第２のＣＳＩ  ＲＳ構成を有する第２のＩＥを受信することと、（Ｓ１００）
前記第１の用途に基づいて第１の動作を実行し、前記第２の用途に基づいて第２の動作を実行することと（Ｓ１１０）
を含む、方法。
【請求項２】
前記第１の用途及び前記第２の用途は、それぞれ、ＣＳＩの測定、経路損失の測定及び干渉の測定のうち互いに異なる測定を含む、請求項１に記載の方法。
【請求項３】
前記少なくとも一つの第１のＣＳＩ  ＲＳ構成は、前記少なくとも一つの第１のＣＳＩ  ＲＳ構成の個数に対応する第１のＣＳＩ  ＲＳ構成ＩＥ（ｉｎｆｏｒｍａｔｉｏｎ  ｅｌｅｍｅｎｔ）を介して受信され、前記少なくとも一つの第２のＣＳＩ  ＲＳ構成は、前記少なくとも一つの第２のＣＳＩ  ＲＳ構成の個数に対応する第２のＣＳＩ  ＲＳ構成ＩＥを介して受信される、請求項１に記載の方法。
【請求項４】
前記少なくとも一つの第１のＣＳＩ  ＲＳ構成は、一つの第１のＣＳＩ  ＲＳ構成ＩＥ（ｉｎｆｏｒｍａｔｉｏｎ  ｅｌｅｍｅｎｔ）を介して受信され、
前記少なくとも一つの第２のＣＳＩ  ＲＳ構成は、一つの第２のＣＳＩ  ＲＳ構成ＩＥを介して受信される、請求項１に記載の方法。
【請求項５】
前記少なくとも一つの第１のＣＳＩ  ＲＳ構成は、前記一つの第１のＣＳＩ  ＲＳ構成ＩＥ内でビットマップとして指示され、
前記少なくとも一つの第２のＣＳＩ  ＲＳ構成は、前記一つの第２のＣＳＩ  ＲＳ構成ＩＥ内でビットマップとして指示される、請求項４に記載の方法。
【請求項６】
前記少なくとも一つの第１のＣＳＩ  ＲＳ構成及び前記少なくとも一つの第２のＣＳＩ  ＲＳ構成は、一つのＣＳＩ  ＲＳ構成ＩＥを介して受信される、請求項１に記載の方法。
【請求項７】
前記少なくとも一つの第１のＣＳＩ  ＲＳ構成及び前記少なくとも一つの第２のＣＳＩ  ＲＳ構成は、それぞれ、前記一つのＣＳＩ  ＲＳ構成ＩＥ内で互いに異なるビットマップとして指示される、請求項６に記載の方法。
【請求項８】
前記少なくとも一つの第１のＣＳＩ  ＲＳ構成及び前記少なくとも一つの第２のＣＳＩ  ＲＳ構成は、それぞれ、前記一つのＣＳＩ  ＲＳ構成ＩＥ内で互いに異なるＩＥによって指示される、請求項６に記載の方法。
【発明の詳細な説明】
【技術分野】
【０００１】
本発明は、無線通信に関し、より詳しくは、無線通信システムにおける複数の参照信号構成を設定する方法及び装置に関する。
【背景技術】
【０００２】
最近、活発に研究されている次世代マルチメディア無線通信システムは、初期の音声中心のサービスを越え、映像、無線データなどの多様な情報を処理して送信できるシステムが要求されている。現在３世帯無線通信システムの以後に開発されている４世帯無線通信は、ダウンリンク１Ｇｂｐｓ（ｇｉｇａｂｉｔｓ  ｐｅｒ  ｓｅｃｏｎｄ）及びアップリンク５００Ｍｂｐｓ（ｍｅｇａｂｉｔｓ  ｐｅｒ  ｓｅｃｏｎｄ）の高速のデータサービスをサポートすることを目標にする。無線通信システムの目的は、多数のユーザが位置と移動性に関係なしで信頼できる（ｒｅｌｉａｂｌｅ）通信が可能にすることである。しかし、無線チャネル（ｗｉｒｅｌｅｓｓ  ｃｈａｎｎｅｌ）は、経路損失（ｐａｔｈ  ｌｏｓｓ）、雑音（ｎｏｉｓｅ）、多重経路（ｍｕｌｔｉｐａｔｈ）によるフェーディング（ｆａｄｉｎｇ）現象、シンボル間干渉（ＩＳＩ；ｉｎｔｅｒ−ｓｙｍｂｏｌ  ｉｎｔｅｒｆｅｒｅｎｃｅ）又は端末の移動性によるドップラー効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために多様な技術が開発されている。
【０００３】
一方、Ｍ２Ｍ（ｍａｃｈｉｎｅ−ｔｏ−ｍａｃｈｉｎｅ）通信の導入、スマートフォン、タブレットＰＣなどの多様なデバイスの出現及び普及によって、セルラー（ｃｅｌｌｕａｒ）網に対するデータ要求量が急速に増加している。高いデータ要求量を満たすために多様な技術が開発されている。より多くの周波数帯域を効率的に使用するための搬送波集約（ＣＡ；ｃａｒｒｉｅｒ  ａｇｇｒｅｇａｔｉｏｎ）技術、コグニティブ無線（ＣＲ；ｃｏｇｎｉｔｉｖｅ  ｒａｄｉｏ）技術などが研究中である。また、限定された周波数帯域内でデータ容量を高めるための多重アンテナ技術、多重基地局協力技術などが研究されている。即ち、結局、無線通信システムは、ユーザ周辺に接続できるノード（ｎｏｄｅ）の密度が高まる方向に進化するようになる。ノードの密度が高い無線通信システムは、ノード間の協力によって性能がさらに向上することができる。即ち、各ノードが互いに協力する無線通信システムは、各ノードが独立的な基地局（ＢＳ；ｂａｓｅ  ｓｔａｔｉｏｎ）、ＡＢＳ（ａｄｖａｎｃｅｄ  ＢＳ）、Ｎｏｄｅ−Ｂ（ＮＢ）、ｅＮｏｄｅ−Ｂ（ｅＮＢ）、ＡＰ（ａｃｃｅｓｓ  ｐｏｉｎｔ）等により動作する無線通信システムより優れた性能を有する。
【０００４】
無線通信システムの性能改善のために、セル内の複数のノードを備えた分散多重ノードシステム（ＤＭＮＳ；ｄｉｓｔｒｉｂｕｔｅｄ  ｍｕｌｔｉ  ｎｏｄｅ  ｓｙｓｔｅｍ）が適用されることができる。多重ノードシステムは、分散アンテナシステム（ＤＡＳ；ｄｉｓｔｒｉｂｕｔｅｄ  ａｎｔｅｎｎａ  ｓｙｓｔｅｍ）、無線遠隔装備（ＲＲＨ；ｒａｄｉｏ  ｒｅｍｏｔｅ  ｈｅａｄ）などを含むことができる。また、既に開発され、又は今後に適用可能な多様なＭＩＭＯ（ｍｕｌｔｉｐｌｅ−ｉｎｐｕｔ  ｍｕｌｔｉｐｌｅ−ｏｕｔｐｕｔ）技法と協力通信技法を分散多重ノードシステムに適用するための標準化作業が進行中である。
【０００５】
分散多重ノードシステムのための効率的な参照信号（ＲＳ；ｒｅｆｅｒｅｎｃｅ  ｓｉｇｎａｌ）構成（ｃｏｎｆｉｇｕｒａｔｉｏｎ）が要求される。
【発明の概要】
【発明が解決しようとする課題】
【０００６】
本発明の技術的課題は、無線通信システムにおいて、複数の参照信号構成を設定する方法及び装置を提供することである。本発明は、用途によって複数のチャネル状態情報（ＣＳＩ；ｃｈａｎｎｅｌ  ｓｔａｔｅ  ｉｎｆｏｒｍａｔｉｏｎ）参照信号（ＲＳ；ｒｅｆｅｒｅｎｃｅ  ｓｉｇｎａｌ）構成（ｃｏｎｆｉｇｕｒａｔｉｏｎ）を設定する方法を提案する。
【課題を解決するための手段】
【０００７】
一態様において、無線通信システムにおける端末（ＵＥ；ｕｓｅｒ  ｅｑｕｉｐｍｅｎｔ）の動作方法が提供される。前記動作方法は、基地局から第１の用途を指示する少なくとも一つの第１のＣＳＩ（ｃｈａｎｎｅｌ  ｓｔａｔｅ  ｉｎｆｏｒｍａｔｉｏｎ）ＲＳ（ｒｅｆｅｒｅｎｃｅ  ｓｉｇｎａｌ）構成（ｃｏｎｆｉｇｕｒａｔｉｏｎ）を受信し、前記基地局から前記第１の用途と互いに異なる第２の用途を指示する、前記少なくとも一つの第１のＣＳＩ  ＲＳ構成と互いに異なる少なくとも一つの第２のＣＳＩ  ＲＳ構成を受信し、前記第１の用途に基づいて第１の動作を実行し、前記第２の用途に基づいて第２の動作を実行することを特徴とする。
【０００８】
他の態様において、無線通信システムにおける端末が提供される。前記端末は、無線信号を送信又は受信するＲＦ（ｒａｄｉｏ  ｆｒｅｑｕｅｎｃｙ）部、及び前記ＲＦ部と連結されるプロセッサを含み、前記プロセッサは、基地局から第１の用途を指示する少なくとも一つの第１のＣＳＩ（ｃｈａｎｎｅｌ  ｓｔａｔｅ  ｉｎｆｏｒｍａｔｉｏｎ）ＲＳ（ｒｅｆｅｒｅｎｃｅ  ｓｉｇｎａｌ）構成（ｃｏｎｆｉｇｕｒａｔｉｏｎ）を受信し、前記基地局から前記第１の用途と互いに異なる第２の用途を指示する、前記少なくとも一つの第１のＣＳＩ  ＲＳ構成と互いに異なる少なくとも一つの第２のＣＳＩ  ＲＳ構成を受信し、前記第１の用途に基づいて第１の動作を実行し、前記第２の用途に基づいて第２の動作を実行するように構成される。
本発明はさらに、たとえば、以下を提供する。
（項目１）
無線通信システムにおける端末（ＵＥ；ｕｓｅｒ  ｅｑｕｉｐｍｅｎｔ）の動作方法において、
基地局から第１の用途を指示する少なくとも一つの第１のＣＳＩ（ｃｈａｎｎｅｌ  ｓｔａｔｅ  ｉｎｆｏｒｍａｔｉｏｎ）ＲＳ（ｒｅｆｅｒｅｎｃｅ  ｓｉｇｎａｌ）構成（ｃｏｎｆｉｇｕｒａｔｉｏｎ）を受信し、
前記基地局から前記第１の用途と互いに異なる第２の用途を指示する、前記少なくとも一つの第１のＣＳＩ  ＲＳ構成と互いに異なる少なくとも一つの第２のＣＳＩ  ＲＳ構成を受信し、
前記第１の用途に基づいて第１の動作を実行し、
前記第２の用途に基づいて第２の動作を実行することを含む方法。
（項目２）
前記少なくとも一つの第１のＣＳＩ  ＲＳ構成は、前記基地局の少なくとも一つの第１のノードを介して受信され、前記少なくとも一つの第２のＣＳＩ  ＲＳ構成は、前記基地局の少なくとも一つの第２のノードを介して受信されることを特徴とする項目１に記載の方法。
（項目３）
前記第１の用途及び前記第２の用途のうち、一つは、前記基地局からのダウンリンク（ＤＬ；ｄｏｗｎｌｉｎｋ）ＣＳＩ測定であり、他の一つは、前記基地局へのアップリンク（ＵＬ；ｕｐｌｉｎｋ）ＣＳＩ測定であることを特徴とする項目１に記載の方法。
（項目４）
前記第１の用途及び前記第２の用途は、ＣＳＩ測定、経路損失（ｐａｔｈ  ｌｏｓｓ）測定、及び干渉測定のうち、互いに異なるいずれか一つであることを特徴とする項目１に記載の方法。
（項目５）
前記第１の用途及び前記第２の用途は、各々、互いに異なるアップリンク制御信号又はチャネルに対する経路損失測定であることを特徴とする項目１に記載の方法。
（項目６）
前記第１の用途及び前記第２の用途は、各々、第１サウンディング参照信号（ＳＲＳ；ｓｏｕｎｄｉｎｇ  ｒｅｆｅｒｅｎｃｅ  ｓｉｇｎａｌ）及び第２のＳＲＳに対する経路損失測定であることを特徴とする項目１に記載の方法。
（項目７）
前記少なくとも一つの第１のＣＳＩ  ＲＳ構成は、前記少なくとも一つの第１のＣＳＩ  ＲＳ構成の個数に対応される第１のＣＳＩ  ＲＳ構成ＩＥ（ｉｎｆｏｒｍａｔｉｏｎ  ｅｌｅｍｅｎｔ）を介して受信され、前記少なくとも一つの第２のＣＳＩ  ＲＳ構成は、前記少なくとも一つの第２のＣＳＩ  ＲＳ構成の個数に対応される第２のＣＳＩ  ＲＳ構成ＩＥを介して受信されることを特徴とする項目１に記載の方法。
（項目８）
前記少なくとも一つの第１のＣＳＩ  ＲＳ構成は、一つの第１のＣＳＩ  ＲＳ構成ＩＥを介して受信され、前記少なくとも一つの第２のＣＳＩ  ＲＳ構成は、一つの第２のＣＳＩ  ＲＳ構成ＩＥを介して受信されることを特徴とする項目１に記載の方法。
（項目９）
前記少なくとも一つの第１のＣＳＩ  ＲＳ構成は、前記一つの第１のＣＳＩ  ＲＳ構成ＩＥ内でビットマップ（ｂｉｔｍａｐ）で指示され、前記少なくとも一つの第２のＣＳＩ  ＲＳ構成は、前記一つの第２のＣＳＩ  ＲＳ構成ＩＥ内でビットマップ（ｂｉｔｍａｐ）で指示されることを特徴とする項目８に記載の方法。
（項目１０）
前記少なくとも一つの第１のＣＳＩ  ＲＳ構成及び前記少なくとも一つの第２のＣＳＩ  ＲＳ構成は、一つのＣＳＩ  ＲＳ構成ＩＥを介して受信されることを特徴とする項目１に記載の方法。
（項目１１）
前記少なくとも一つの第１のＣＳＩ  ＲＳ構成及び前記少なくとも一つの第２のＣＳＩ  ＲＳ構成は、前記一つのＣＳＩ  ＲＳ構成ＩＥ内で互いに異なるビットマップ（ｂｉｔｍａｐ）で指示されることを特徴とする項目１０に記載の方法。
（項目１２）
前記少なくとも一つの第１のＣＳＩ  ＲＳ構成及び前記少なくとも一つの第２のＣＳＩ  ＲＳ構成は、前記一つのＣＳＩ  ＲＳ構成ＩＥ内で互いに異なるＩＥによって指示されることを特徴とする項目１０に記載の方法。
（項目１３）
無線通信システムにおいて、
無線信号を送信又は受信するＲＦ（ｒａｄｉｏ  ｆｒｅｑｕｅｎｃｙ）部；及び、
前記ＲＦ部と連結されるプロセッサ；を含み、
前記プロセッサは、
基地局から第１の用途を指示する少なくとも一つの第１のＣＳＩ（ｃｈａｎｎｅｌ  ｓｔａｔｅ  ｉｎｆｏｒｍａｔｉｏｎ）ＲＳ（ｒｅｆｅｒｅｎｃｅ  ｓｉｇｎａｌ）構成（ｃｏｎｆｉｇｕｒａｔｉｏｎ）を受信し、
前記基地局から前記第１の用途と互いに異なる第２の用途を指示する、前記少なくとも一つの第１のＣＳＩ  ＲＳ構成と互いに異なる少なくとも一つの第２のＣＳＩ  ＲＳ構成を受信し、
前記第１の用途に基づいて第１の動作を実行し、
前記第２の用途に基づいて第２の動作を実行するように構成される端末。
【発明の効果】
【０００９】
分散多重ノードシステムにおいて、用途によって複数のＣＳＩ  ＲＳ構成を使用することができる。
【図面の簡単な説明】
【００１０】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】多重ノードシステムの一例を示す。
【図７】ＣＳＩ  ＲＳがマッピングされるＲＢの一例を示す。
【図８】３ＧＰＰ  ＬＴＥにおいて、ＣＳＩがフィードバックされる過程を示す。
【図９】ＣＳＩ  ＲＳ構成の設定の一実施例を示す。
【図１０】本発明の一実施例に係る端末の動作方法を示す。
【図１１】本発明の実施例が具現される無線通信システムのブロック図である。
【発明を実施するための形態】
【００１１】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００１２】
説明を明確にするために、ＬＴＥ−Ａを中心に記述するが、本発明の技術的思想がこれに制限されるものではない。
【００１３】
図１は、無線通信システムである。
【００１４】
無線通信システム１０は、少なくとも一つの基地局（ｂａｓｅ  ｓｔａｔｉｏｎ、ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（ｕｓｅｒ  ｅｑｕｉｐｍｅｎｔ、ＵＥ）１２は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語とも呼ばれる。基地局１１は、一般的に、端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語とも呼ばれる。
【００１５】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００１６】
この技術は、ダウンリンク（ｄｏｗｎｌｉｎｋ）又はアップリンク（ｕｐｌｉｎｋ）に使われることができる。一般的に、ダウンリンクは、基地局１１から端末１２への通信を意味し、アップリンクは、端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００１７】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号又はストリームの送信に使われる物理的又は論理的アンテナを意味し、受信アンテナは、一つの信号又はストリームの受信に使われる物理的又は論理的アンテナを意味する。
【００１８】
図２は、３ＧＰＰ  ＬＴＥにおける無線フレーム（ｒａｄｉｏ  ｆｒａｍｅ）の構造を示す。
【００１９】
これは３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。図２を参照すると、無線フレームは、１０個のサブフレーム（ｓｕｂｆｒａｍｅ）で構成され、一つのサブフレームは、２個のスロット（ｓｌｏｔ）で構成される。無線フレーム内のスロットは、＃０から＃１９までのスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００２０】
一つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることができる。例えば、アップリンク多重接続方式によりＳＣ−ＦＤＭＡが使われる場合、ＳＣ−ＦＤＭＡシンボルということができる。リソースブロック（ＲＢ；ｒｅｓｏｕｒｃｅ  ｂｌｏｃｋ）は、リソース割当単位であり、一つのスロットで複数の連続する副搬送波を含む。前記無線フレームの構造は、一例に過ぎない。したがって、無線フレームに含まれるサブフレームの個数やサブフレームに含まれるスロットの個数、又はスロットに含まれるＯＦＤＭシンボルの個数は、多様に変更されることができる。
【００２１】
３ＧＰＰ  ＬＴＥにおいて、ノーマル（ｎｏｒｍａｌ）サイクリックプレフィックス（ＣＰ；ｃｙｃｌｉｃ  ｐｒｅｆｉｘ）で、一つのスロットは７個のＯＦＤＭシンボルを含み、拡張（ｅｘｔｅｎｄｅｄ）ＣＰで、一つのスロットは６個のＯＦＤＭシンボルを含むと定義している。
【００２２】
無線通信システムは、大きくＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割するため、基地局によるダウンリンク送信と端末によるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００２３】
図３は、一つのダウンリンクスロットに対するリソースグリッド（ｒｅｓｏｕｒｃｅ  ｇｒｉｄ）の一例を示す。
【００２４】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおいて、ＮＲＢは、６〜１１０のうちいずれか一つである。一つのリソースブロックは、周波数領域で複数の副搬送波を含む。アップリンクスロットの構造も前記ダウンリンクスロットの構造と同様である。
【００２５】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００２６】
ここで、一つのリソースブロックは、時間領域で７ＯＦＤＭシンボルと周波数領域で１２副搬送波とで構成される７×１２リソース要素を含むことを例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで、副搬送波の数は、１２８、２５６、５１２、１０２４、１５３６、及び２０４８のうち一つを選定して使用することができる。
【００２７】
図４は、ダウンリンクサブフレームの構造を示す。
【００２８】
ダウンリンクサブフレームは、時間領域で２個のスロットを含み、各スロットは、ノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域である。
【００２９】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ  ｓｈａｒｅｄ  ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合及びＶｏＩＰ（ｖｏｉｃｅ  ｏｖｅｒ  ｉｎｔｅｒｎｅｔ  ｐｒｏｔｏｃｏｌ）の活性化などを伝送することができる。複数のＰＤＣＣＨが制御領域内で送信されることができ、端末は、複数のＰＤＣＣＨをモニタリングすることができる。ＰＤＣＣＨは、一つ又は複数個の連続的なＣＣＥ（ｃｏｎｔｒｏｌ  ｃｈａｎｎｅｌ  ｅｌｅｍｅｎｔｓ）の集約（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００３０】
基地局は、端末に送ろうとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨのオーナー（ｏｗｎｅｒ）や用途によって固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）がマスキングされる。特定端末のためのＰＤＣＣＨの場合、端末の固有識別子、例えば、Ｃ−ＲＮＴＩ（ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ＳＩＢ；ｓｙｓｔｅｍ  ｉｎｆｏｒｍａｔｉｏｎ  ｂｌｏｃｋ）のためのＰＤＣＣＨの場合、システム情報識別子、例えば、ＳＩ−ＲＮＴＩ（ｓｙｓｔｅｍ  ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍａｃｃｅｓｓ−ＲＮＴＩ）がＣＲＣにマスキングされることができる。
【００３１】
図５は、アップリンクサブフレームの構造を示す。
【００３２】
アップリンクサブフレームは、周波数領域で制御領域とデータ領域とに分けられることができる。前記制御領域は、アップリンク制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。前記データ領域は、データが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、端末は、ＰＵＳＣＨとＰＵＣＣＨの同時送信をサポートすることができる。
【００３３】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００３４】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００３５】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００３６】
無線通信システムの性能を向上させるために、ユーザ周辺に接続できるノード（ｎｏｄｅ）の密度を高める方向に技術が進化している。ノードの密度が高い無線通信システムは、ノード間の協力によって性能がさらに向上することができる。
【００３７】
図６は、多重ノードシステムの一例を示す。
【００３８】
図６を参照すると、多重ノードシステム２０は、一つの基地局２１と複数のノード２５−１、２５−２、２５−３、２５−４、２５−５とで構成されることができる。複数のノード２５−１、２５−２、２５−３、２５−４、２５−５は、一つの基地局２１によって管理されることができる。即ち、複数のノード２５−１、２５−２、２５−３、２５−４、２５−５は、一つのセルの一部のように動作する。このとき、各ノード２５−１、２５−２、２５−３、２５−４、２５−５は、別途のノードＩＤ（ｉｄｅｎｔｉｆｉｅｒ）が割当され、又は別途のノードＩＤなしでセル内の一部アンテナ集団のように動作することができる。このような場合、図６の多重ノードシステム２０は、一つのセルを形成する分散多重ノードシステム（ＤＭＮＳ；ｄｉｓｔｒｉｂｕｔｅｄ  ｍｕｌｔｉ  ｎｏｄｅ  ｓｙｓｔｅｍ）ということができる。
【００３９】
または、複数のノード２５−１、２５−２、２５−３、２５−４、２５−５は、個別的なセルＩＤを有し、端末のスケジューリング及びハンドオーバ（ＨＯ；ｈａｎｄｏｖｅｒ）を実行することができる。このような場合、図６の多重ノードシステム２０は、多重セルシステムということができる。基地局２１は、マクロセル（ｍａｃｒｏ  ｃｅｌｌ）であり、各ノードは、マクロセルのセルカバレッジ（ｃｅｌｌ  ｃｏｖｅｒａｇｅ）より小さいセルカバレッジを有するフェムトセル（ｆｅｍｔｏ  ｃｅｌｌ）又はピコセル（ｐｉｃｏ  ｃｅｌｌ）である。このように、複数のセルがカバレッジによってオーバーレイ（ｏｖｅｒｌａｙ）されて構成される場合、複数階層ネットワーク（ｍｕｌｔｉ−ｔｉｅｒ  ｎｅｔｗｏｒｋ）ということができる。
【００４０】
図６において、各ノード２５−１、２５−２、２５−３、２５−４、２５−５は、基地局、Ｎｏｄｅ−Ｂ、ｅＮｏｄｅ−Ｂ、ピコセルｅＮｂ（ＰｅＮＢ）、ホームｅＮＢ（ＨｅＮＢ）、無線遠隔装備（ＲＲＨ；ｒａｄｉｏ  ｒｅｍｏｔｅ  ｈｅａｄ）、中継局（ＲＳ；ｒｅｌａｙ  ｓｔａｔｉｏｎ又はｒｅｐｅａｔｅｒ）、分散アンテナ（ｄｉｓｔｒｉｂｕｔｅｄ  ａｎｔｅｎｎａ）のうちいずれか一つである。一つのノードには、最小一つのアンテナが設置されることができる。また、ノードは、ポイント（ｐｏｉｎｔ）とも呼ばれる。以下の明細書において、ノードは、ＤＭＮＳで一定間隔以上離れたアンテナグループを意味する。即ち、以下の明細書において、各ノードは、物理的にＲＲＨを意味すると仮定する。しかし、本発明の一実施例は、これに制限されるものではなく、ノードは、物理的間隔に関係なしで任意のアンテナグループと定義されることができる。例えば、複数の交差偏光されたアンテナ（ｃｒｏｓｓ  ｐｏｌａｒｉｚｅｄ  ａｎｔｅｎｎａ）で構成された基地局を、水平偏光されたアンテナ（ｈｏｒｉｚｏｎｔａｌ  ｐｏｌａｒｉｚｅｄ  ａｎｔｅｎｎａ）で構成されたノードと、垂直偏光されたアンテナ（ｖｅｒｔｉｃａｌ  ｐｏｌａｒｉｚｅｄ  ａｎｔｅｎｎａ）で構成されたノードと、からなっていると仮定し、本発明の一実施例を適用することができる。また、本発明の一実施例は、各ノードがマクロセルに比べてセルカバレッジが小さいピコセル又はフェムトセルである場合、即ち、多重セルシステムでも適用されることができる。以下の説明において、アンテナは、物理的なアンテナだけでなく、アンテナポート、仮想（ｖｉｒｔｕａｌ）アンテナ、アンテナグループなどに代替されることができる。
【００４１】
ＣｏＭＰ（ｃｏｏｒｄｉｎａｔｅｄ  ｍｕｌｔｉ−ｐｏｉｎｔ）送信は、ノード間協力通信技法を意味する。多重セル多重分散ノードシステムにおいて、ＣｏＭＰ送信を適用してセル間干渉（ｉｎｔｅｒ−ｃｅｌｌ  ｉｎｔｅｒｆｅｒｅｎｃｅ）を減らすことができ、単一セル多重分散ノードシステムにおいて、ＣｏＭＰ送信を適用してセル内の多重ノード間干渉（Ｉｎｔｒａ−ｃｅｌｌ  ｉｎｔｅｒ−ｐｏｉｎｔ  ｉｎｔｅｒｆｅｒｅｎｃｅ）を減らすことができる。端末は、ＣｏＭＰ送信を実行して複数のノードから共通にデータを受信することができる。また、各ノードは、システム性能の向上のために、同じ無線周波数リソースを利用して一つ以上の端末を同時にサポートすることができる。また、基地局は、基地局と端末との間のチャネル状態情報に基づいて空間分割多重接続（ＳＤＭＡ；ｓｐａｃｅ  ｄｉｖｉｓｉｏｎ  ｍｕｌｔｉｐｌｅ  ａｃｃｅｓｓ）方法を実行することもできる。
【００４２】
ＣｏＭＰ送信の主要目的は、セル境界又はノード境界に位置した端末の通信性能改善である。３ＧＰＰ  ＬＴＥにおいて、ＣｏＭＰ送信方式は、二つに区分されることができる。
【００４３】
１）結合プロセシング（ＪＰ；ｊｏｉｎｔ  ｐｒｏｃｅｓｓｉｎｇ）方式：端末に対するデータを一つ以上のノードが共有して送信する方法である。ＪＰ方式は、結合送信（ＪＴ；ｊｏｉｎｔ  ｔｒａｎｓｍｉｓｓｉｏｎ）方式と動的ポイント選択（ＤＰＳ；ｄｙｎａｍｉｃ  ｐｏｉｎｔ  ｓｅｌｅｃｔｉｏｎ）方式とを含む。ＪＴ方式は、複数のノードが時間−周波数リソースで一つ又は複数の端末に同時にデータを送信する方式である。データを送信する複数のノードは、ＣｏＭＰ送信を実行することができる集合の全部又は一部である。データは、コヒーレント（ｃｏｈｅｒｅｎｔ）に又はノンコヒーレント（ｎｏｎ−ｃｏｈｅｒｅｎｔ）に送信されることができる。これによって受信された信号の品質及び／又はデータ処理率（ｔｈｒｏｕｇｈｐｕｔ）が向上することができる。ＤＰＳ方式は、ＣｏＭＰ送信を実行することができる集合内の一つのノードが時間−周波数リソースでデータを送信する方式である。データは、複数のノードで同時に送信可能であるが、その中から選択された一つのノードがデータを送信する方式である。データを送信するノード又は送信しない（ｍｕｔｉｎｇ）ノードは、サブフレーム単位に変更されることができる。また、サブフレーム内で使われるＲＢ対（ｐａｉｒ）も変更されることができる。ＤＰＳ方式は、動的セル選択（ＤＣＳ；ｄｙｎａｍｉｃ  ｃｅｌｌ  ｓｅｌｅｃｔｉｏｎ）方式を含むことができる。
【００４４】
２）協力スケジューリング（ＣＳ；ｃｏｏｒｄｉｎａｔｅｄ  ｓｃｈｅｄｕｌｉｎｇ）／協力ビーム形成（ｃｏｏｒｄｉｎａｔｅｄ  ｂｅａｍｆｏｒｍｉｎｇ）方式：制限されたバックホール容量（ｂａｃｋｈａｕｌ  ｃａｐａｃｉｔｙ）などの問題で一つのサービングノードのみがデータを送信することができ、残りのノードは、スケジューリングを介して又は送信ビームの干渉を減らすことによってサービングノードに協力する方式である。ＣＳ／ＣＢ方式は、半静的ポイント選択（ＳＳＰＳ；ｓｅｍｉ−ｓｔａｔｉｃ  ｐｏｉｎｔ  ｓｅｌｅｃｔｉｏｎ）方式を含む。ＳＳＰＳ方式は、特定時間に一つのノードから特定端末にデータを送信する方式である。データを送信するノードは、半静的な方式に変更されることができる。
【００４５】
参照信号に対して説明する。
【００４６】
参照信号（ＲＳ；ｒｅｆｅｒｅｎｃｅ  ｓｉｇｎａｌ）は、一般的にシーケンスで送信される。参照信号シーケンスは、特別な制限無しで任意のシーケンスが使われることができる。参照信号シーケンスは、ＰＳＫ（ｐｈａｓｅ  ｓｈｉｆｔ  ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（ｂｉｎａｒｙ  ｐｈａｓｅ  ｓｈｉｆｔ  ｋｅｙｉｎｇ）、ＱＰＳＫ（ｑｕａｄｒａｔｕｒｅ  ｐｈａｓｅ  ｓｈｉｆｔ  ｋｅｙｉｎｇ）などがある。または、参照信号シーケンスは、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を利用することができる。
【００４７】
ダウンリンク参照信号は、セル特定参照信号（ＣＲＳ；ｃｅｌｌ−ｓｐｅｃｉｆｉｃ  ＲＳ）、ＭＢＳＦＮ（ｍｕｌｔｉｍｅｄｉａ  ｂｒｏａｄｃａｓｔ  ａｎｄ  ｍｕｌｔｉｃａｓｔ  ｓｉｎｇｌｅ  ｆｒｅｑｕｅｎｃｙ  ｎｅｔｗｏｒｋ）参照信号、端末特定参照信号（ＵＥ−ｓｐｅｃｉｆｉｃ  ＲＳ）、ポジショニング参照信号（ＰＲＳ；ｐｏｓｉｔｉｏｎｉｎｇ  ＲＳ）、及びチャネル状態情報（ＣＳＩ；ｃｈａｎｎｅｌ  ｓｔａｔｅ  ｉｎｆｏｒｍａｔｉｏｎ）参照信号（ＣＳＩ  ＲＳ）に区分されることができる。ＣＲＳは、セル内の全ての端末に送信される参照信号であって、ＣＱＩ（ｃｈａｎｎｅｌ  ｑｕａｌｉｔｙ  ｉｎｄｉｃａｔｏｒ）フィードバックに対するチャネル測定とＰＤＳＣＨに対するチャネル推定に使われることができる。ＭＢＳＦＮ参照信号は、ＭＢＳＦＮ送信のために割り当てられたサブフレームで送信されることができる。端末特定参照信号は、セル内の特定端末又は特定端末グループが受信する参照信号であって、復調参照信号（ＤＭＲＳ；ｄｅｍｏｄｕｌａｔｉｏｎ  ＲＳ）とも呼ばれる。ＤＭＲＳは、特定端末又は特定端末グループのデータ復調に主に使われる。ＰＲＳは、端末の位置推定に使われることができる。ＣＳＩ  ＲＳは、ＬＴＥ  ｒｅｌ−１０端末のＰＤＳＣＨに対するチャネル推定に使われる。ＣＳＩ  ＲＳは、周波数領域又は時間領域で比較的スパースに（ｓｐａｒｓｅ）配置され、一般サブフレーム又はＭＢＳＦＮサブフレームのデータ領域では省略（ｐｕｎｃｔｕｒｅｄ）されることができる。ＣＳＩの推定を介して必要な場合にＣＱＩ、ＰＭＩ及びＲＩなどが端末から報告されることができる。
【００４８】
ＣＳＩ  ＲＳは、１個、２個、４個又は８個のアンテナポートを介して送信される。この時に使われるアンテナポートは、各々、ｐ＝１５、ｐ＝１５，１６、ｐ＝１５，．．．，１８及びｐ＝１５，．．．，２２である。ＣＳＩ  ＲＳは、Δｆ＝１５ｋＨｚに対してのみ定義されることができる。ＣＳＩ  ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ１０．１．０（２０１１−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の６．１０．５節を参照することができる。
【００４９】
ＣＳＩ  ＲＳの送信において、異種ネットワーク（ＨｅｔＮｅｔ；ｈｅｔｅｒｏｇｅｎｅｏｕｓ  ｎｅｔｗｏｒｋ）環境を含んでマルチセル環境でセル間干渉を減らすために最大３２個の互いに異なる構成（ｃｏｎｆｉｇｕｒａｔｉｏｎ）が提案されることができる。ＣＳＩ  ＲＳ構成は、セル内のアンテナポートの個数及びＣＰによって互いに異なり、隣接したセルは、最大限異なる構成を有することができる。また、ＣＳＩ  ＲＳ構成は、フレーム構造によってＦＤＤフレームとＴＤＤフレームの両方ともに適用する場合とＴＤＤフレームにのみ適用する場合とに分けられることができる。一つのセルで複数のＣＳＩ  ＲＳ構成が使われることができる。非零電力（ｎｏｎ−ｚｅｒｏ  ｐｏｗｅｒ）ＣＳＩ  ＲＳを仮定する端末に対して０個又は１個のＣＳＩ  ＲＳ構成が使われ、零電力（ｚｅｒｏ  ｐｏｗｅｒ）ＣＳＩ  ＲＳを仮定する端末に対して０個又は複数個のＣＳＩ  ＲＳ構成が使われることができる。
【００５０】
ＣＳＩ  ＲＳ構成は、上位階層によって指示されることができる。上位階層を介して送信されるＣＳＩ−ＲＳ−Ｃｏｎｆｉｇ  ＩＥ（ｉｎｆｏｒｍａｔｉｏｎ  ｅｌｅｍｅｎｔ）がＣＳＩ  ＲＳ構成を指示することができる。表１は、ＣＳＩ−ＲＳ−Ｃｏｎｆｉｇ  ＩＥの一例を示す。
【００５１】
【表１】
0005960829.tif 000002
【００５２】
表１を参照すると、ａｎｔｅｎｎａＰｏｒｔｓＣｏｕｎｔフィールドは、ＣＳＩ  ＲＳの送信のために使われるアンテナポートの個数を指示する。ｒｅｓｏｕｒｃｅＣｏｎｆｉｇフィールドは、ＣＳＩ  ＲＳ構成を指示する。ＳｕｂｆｒａｍｅＣｏｎｆｉｇフィールド及びｚｅｒｏＴｘＰｏｗｅｒＳｕｂｆｒａｍｅＣｏｎｆｉｇフィールドは、ＣＳＩ  ＲＳが送信されるサブフレーム構成を指示する。
【００５３】
ｚｅｒｏＴｘＰｏｗｅｒＲｅｓｏｕｒｃｅＣｏｎｆｉｇＬｉｓｔフィールドは、零電力ＣＳＩ  ＲＳの構成を指示する。ｚｅｒｏＴｘＰｏｗｅｒＲｅｓｏｕｒｃｅＣｏｎｆｉｇＬｉｓｔフィールドを構成する１６ビットのビットマップ（ｂｉｔｍａｐ）で１に設定されたビットに対応されるＣＳＩ  ＲＳ構成が零電力ＣＳＩ  ＲＳとして設定されることができる。より具体的に、ｚｅｒｏＴｘＰｏｗｅｒＲｅｓｏｕｒｃｅＣｏｎｆｉｇＬｉｓｔフィールドを構成するビットマップのＭＳＢ（ｍｏｓｔ  ｓｉｇｎｉｆｉｃａｎｔ  ｂｉｔ）が、表２及び表３の構成されるＣＳＩ  ＲＳの個数が４個である場合で、一番目のＣＳＩ  ＲＳ構成インデックスに対応される。ｚｅｒｏＴｘＰｏｗｅｒＲｅｓｏｕｒｃｅＣｏｎｆｉｇＬｉｓｔフィールドを構成するビットマップの続くビットは、表２及び表３の構成されるＣＳＩ  ＲＳの個数が４個である場合で、ＣＳＩ  ＲＳ構成インデックスが増加する方向に対応される。表２は、ノーマルＣＰでのＣＳＩ  ＲＳの構成を示し、表３は、拡張ＣＰでのＣＳＩ  ＲＳの構成を示す。
【００５４】
【表２】
0005960829.tif 000003
【００５５】
【表３】
0005960829.tif 000004
【００５６】
表２を参照すると、ｚｅｒｏＴｘＰｏｗｅｒＲｅｓｏｕｒｃｅＣｏｎｆｉｇＬｉｓｔフィールドを構成するビットマップの各ビットがＭＳＢからＣＳＩ  ＲＳ構成インデックス０、１、２、３、４、５、６、７、８、９、２０、２１、２２、２３、２４及び２５に対応される。表３を参照すると、ｚｅｒｏＴｘＰｏｗｅｒＲｅｓｏｕｒｃｅＣｏｎｆｉｇＬｉｓｔフィールドを構成するビットマップの各ビットがＭＳＢからＣＳＩ  ＲＳ構成インデックス０、１、２、３、４、５、６、７、１６、１７、１８、１９、２０及び２１に対応される。端末は、零電力ＣＳＩ  ＲＳとして設定されたＣＳＩ  ＲＳ構成インデックスに対応されるリソース要素を零電力ＣＳＩ  ＲＳのためのリソース要素と仮定することができる。ただし、上位階層によって非零電力ＣＳＩ  ＲＳのためのリソース要素として設定されるリソース要素は、零電力ＣＳＩ  ＲＳのためのリソース要素から除外されることができる。
【００５７】
端末は、表２及び表３において、ｎｓ  ｍｏｄ  ２の条件を満たすダウンリンクスロットでのみＣＳＩ  ＲＳを送信することができる。また、端末は、ＴＤＤフレームの特殊サブフレーム（ｓｐｅｃｉａｌ  ｓｕｂｆｒａｍｅ）、ＣＳＩ  ＲＳの送信が同期化信号（ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔ  ｃｈａｎｎｅｌ）、システム情報ブロックタイプ１（Ｓｙｓｔｅｍ  Ｉｎｆｏｒｍａｔｉｏｎ  Ｂｌｏｃｋ  Ｔｙｐｅ１）と衝突するサブフレーム又はページングメッセージが送信されるサブフレームではＣＳＩ  ＲＳを送信しない。また、Ｓ＝｛１５｝、Ｓ＝｛１５，１６｝、Ｓ＝｛１７，１８｝、Ｓ＝｛１９，２０｝又はＳ＝｛２１，２２｝である集合Ｓで、一つのアンテナポートのＣＳＩ  ＲＳが送信されるリソース要素は、ＰＤＳＣＨや他のアンテナポートのＣＳＩ  ＲＳの送信に使われない。
【００５８】
表４は、ＣＳＩ  ＲＳが送信されるサブフレーム構成の一例を示す。
【００５９】
【表４】
0005960829.tif 000005
【００６０】
表４を参照すると、ＣＳＩ  ＲＳサブフレーム構成（ＩＣＳＩ−ＲＳ）によってＣＳＩ  ＲＳが送信されるサブフレームの周期（ＴＣＳＩ−ＲＳ）及びオフセット（ΔＣＳＩ−ＲＳ）が決定されることができる。表４のＣＳＩ  ＲＳサブフレーム構成は、表１のＣＳＩ−ＲＳ−Ｃｏｎｆｉｇ  ＩＥのＳｕｂｆｒａｍｅＣｏｎｆｉｇフィールド又はＺｅｒｏＴｘＰｏｗｅｒＳｕｂｆｒａｍｅＣｏｎｆｉｇフィールドのうちいずれか一つである。ＣＳＩ  ＲＳサブフレーム構成は、非零電力ＣＳＩ  ＲＳ及び零電力ＣＳＩ  ＲＳに対して分離されて（ｓｅｐａｒａｔｅｌｙ）構成されることができる。一方、ＣＳＩ  ＲＳを送信するサブフレームは、数式１を満たす必要がある。
【００６１】
【数１】
0005960829.tif 000006
【００６２】
図７は、ＣＳＩ  ＲＳがマッピングされるＲＢの一例を示す。
【００６３】
図７は、ノーマルＣＰ構造で、ＣＳＩ  ＲＳ構成インデックスが０の場合、ＣＳＩ  ＲＳのために使われるリソース要素を示す。Ｒｐは、アンテナポートｐ上のＣＳＩ  ＲＳ送信に使われるリソース要素を示す。図７を参照すると、アンテナポート１５及び１６に対するＣＳＩ  ＲＳは、第１のスロットの６番目の及び７番目のＯＦＤＭシンボル（ＯＦＤＭシンボルインデックス５、６）の３番目の副搬送波（副搬送波インデックス２）に該当するリソース要素を介して送信される。アンテナポート１７及び１８に対するＣＳＩ  ＲＳは、第１のスロットの６番目の及び７番目のＯＦＤＭシンボル（ＯＦＤＭシンボルインデックス５、６）の９番目の副搬送波（副搬送波インデックス８）に該当するリソース要素を介して送信される。アンテナポート１９及び２０に対するＣＳＩ  ＲＳは、アンテナポート１５及び１６に対するＣＳＩ  ＲＳが送信される同じリソース要素を介して送信され、アンテナポート２１及び２２に対するＣＳＩ  ＲＳは、アンテナポート１７及び１８に対するＣＳＩ  ＲＳが送信される同じリソース要素を介して送信される。
【００６４】
図８は、３ＧＰＰ  ＬＴＥにおいて、ＣＳＩがフィードバックされる過程を示す。
【００６５】
図８を参照すると、受信機は、送信機にＲＩ、ＰＭＩ及びＣＱＩをフィードバックすることができる。ＲＩは、割り当てられた送信レイヤの個数に基づいて決定されることができ、関連した（ａｓｓｏｃｉａｔｅｄ）ＤＣＩから得ることができる。ＰＭＩを選択する過程は、次の通りである。各ランクで各ＰＭＩに対して後処理（ｐｏｓｔ−ｐｒｏｃｅｓｓｉｎｇ）された信号対干渉雑音比（ＳＩＮＲ；ｓｉｇｎａｌ−ｔｏ−ｎｏｉｓｅ  ｉｎｔｅｒｆｅｒｅｎｃｅ  ｒａｔｉｏ）を計算し、計算されたＳＩＮＲを合計容量（ｓｕｍ  ｃａｐａｃｉｔｙ）に変換し、合計容量に基づいて最適のＰＭＩを選択し、各ランクの最適のＰＭＩの中から最適のランクを選択する。ＣＱＩは、ＣＱＩ表に基づいて送信されることができる。４ビットのＣＱＩインデックスが変調方式（ｍｏｄｕｌａｔｉｏｎ  ｓｃｈｅｍｅ）とコーディング率（ｃｏｄｉｎｇ  ｒａｔｅ）を指示することができる。表５は、ＣＱＩ表の一例を示す。
【００６６】
【表５】
0005960829.tif 000007
【００６７】
端末は、トランスポートブロックエラー率（ＢＬＥ；ｂｌｏｃｋ  ｅｒｒｏｒ  ｒａｔｅ）が０．１を越えない最も高いＣＱＩインデックスを送信する。ＣＱＩは、ＰＵＳＣＨ上にデータ無しで非周期的に送信されることができ、非周期的ＣＱＩの送信は、ＤＣＩフォーマット０内の１ビットのＣＱＩ要求フィールドによって指示されることができる。非周期的ＣＱＩの送信は、ＱＰＳＫ変調のみを使用することができる。
【００６８】
多重分散ノードシステムにおいて、基地局は、各端末に周辺ノードに対するＣＳＩを測定してフィードバックするように要求することができる。基地局は、端末特定するようにＣＳＩ  ＲＳ構成を設定し、端末は、設定されたＣＳＩ  ＲＳ構成に基づいてＣＳＩを測定し、これを基地局にフィードバックすることができる。即ち、端末は、設定されたＣＳＩ  ＲＳ構成に対応されるリソース要素を介して送信されるＣＳＩ  ＲＳに基づいてＣＳＩを測定して基地局に送信することができる。
【００６９】
図９は、ＣＳＩ  ＲＳ構成の設定の一実施例を示す。
【００７０】
図９−（ａ）は、２個のノードが同じＣＳＩ  ＲＳ構成を設定した場合である。基地局の第１のＲＲＨ（ＴＰ１）は、アンテナポート１７及び１８に対してＣＳＩ構成Ａを設定し、第２のＲＲＨ（ＴＰ２）は、アンテナポート１５及び１６に対してＣＳＩ構成Ａを設定する。即ち、基地局は、４個のアンテナポートに対して同じＣＳＩ  ＲＳ構成Ａを設定する。端末は、第１のＲＲＨ及び第２のＲＲＨに対するＣＳＩを測定して基地局に報告する。図９−（ｂ）は、２個のノードが各々互いに異なるＣＳＩ  ＲＳ構成を設定した場合である。基地局の第１のＲＲＨ（ＴＰ１）は、アンテナポート１５及び１６に対してＣＳＩ構成Ｂを設定し、第２のＲＲＨ（ＴＰ２）は、アンテナポート１５及び１６に対してＣＳＩ構成Ａを設定する。即ち、基地局は、２個のアンテナポートに対して互いに異なるＣＳＩ  ＲＳ構成Ａ及びＢを設定する。端末は、第１のＲＲＨ及び第２のＲＲＨに対するＣＳＩを測定して基地局に報告する。
【００７１】
多重分散ノードシステムを介して端末に複数のＣＳＩ  ＲＳ構成を設定するにあたって、複数のＣＳＩ  ＲＳ構成の用途が互いに異なるように構成されることができる。以下、本発明の一実施例によって提案される複数のＣＳＩ  ＲＳ構成設定方法を説明する。
【００７２】
基地局は、用途によって互いに異なるＣＳＩ  ＲＳ構成を設定することができる。例えば、分散多重ノードシステムにおいて、端末のアップリンクとダウンリンクは、互いに異なるノードと連結されることができる。以下、端末のアップリンクと連結されたノードを受信ポイント（ＲＰ；ｒｅｃｅｐｔｉｏｎ  ｐｏｉｎｔ）といい、端末のダウンリンクと連結されたノードを送信ポイント（ＴＰ；ｔｒａｎｓｍｉｓｓｉｏｎ  ｐｏｉｎｔ）という。基地局は、ダウンリンクＣＳＩの測定のためのＣＳＩ  ＲＳ構成とアップリンクＣＳＩの測定のためのＣＳＩ  ＲＳ構成を互いに異なるように設定することができる。または、経路損失（ＰＬ；ｐａｔｈ  ｌｏｓｓ）を測定するためのＣＳＩ  ＲＳ構成と、ＣＳＩを測定するためのＣＳＩ  ＲＳ構成と、干渉を測定するためのＣＳＩ  ＲＳ構成とを異なるように設定することができる。
【００７３】
互いに異なる用途によって構成された複数のＣＳＩ  ＲＳ構成を受信した端末は、受信したＣＳＩ  ＲＳ構成によって互いに異なる動作を実行することができる。第１のＣＳＩ  ＲＳ構成を受信した端末は、第１の動作を実行し、第２のＣＳＩ  ＲＳ構成を受信した端末は、第２の動作を実行することができる。例えば、ＴＰのためのＣＳＩ  ＲＳ構成を受信した端末は、該当ＣＳＩ  ＲＳ構成に基づいてＣＳＩを測定し、ＲＰのためのＣＳＩ  ＲＳ構成を受信した端末は、該当ＣＳＩ  ＲＳ構成に基づいて経路損失を測定することができる。一つのノードがＴＰとＲＰの両方ともに該当する場合には、ＴＰのためのＣＳＩ  ＲＳ構成及びＲＰのためのＣＳＩ  ＲＳ構成を受信してＣＳＩと経路損失の両方ともを測定することができる。
【００７４】
一方、端末は、アップリンク制御信号又はチャネルの種類によって互いに異なるＣＳＩ  ＲＳ構成に基づいて経路損失を測定することができる。例えば、ＴＤＤシステムにおいて、端末は、第１のアップリンク制御信号／チャネルの電力制御のために、ＴＰ及び／又はＴＰとＲＰとを兼ねるノードのためのＣＳＩ  ＲＳ構成に基づいて経路損失を測定し、第２のアップリンク制御信号／チャネルの電力制御のために、ＲＰ及び／又はＴＰとＲＰとを兼ねるノードのためのＣＳＩ  ＲＳ構成に基づいて経路損失を測定することができる。第１のアップリンク制御信号／チャネルは、サウンディング参照信号（ＳＲＳ；ｓｏｕｎｄｉｎｇ  ｒｅｆｅｒｅｎｃｅ  ｓｉｇｎａｌ）である。第２のアップリンク制御信号／チャネルは、ＰＵＣＣＨ及び／又はＰＵＳＣＨである。または、多様な種類のＳＲＳによって互いに異なるＣＳＩ  ＲＳ構成に基づいて経路損失を測定することができる。例えば、端末は、第１のＳＲＳの電力制御のために、ＴＰ及び／又はＴＰとＲＰとを兼ねるノードのためのＣＳＩ  ＲＳ構成に基づいて経路損失を測定し、第２のＳＲＳの電力制御のために、ＲＰ及び／又はＴＰとＲＰとを兼ねるノードのためのＣＳＩ  ＲＳ構成に基づいて経路損失を測定することができる。
【００７５】
以下、本発明の一実施例に係る用途による複数のＣＳＩ  ＲＳ構成を端末に指示する方法を説明する。表１のＣＳＩ−ＲＳ−Ｃｏｎｆｉｇ  ＩＥを表６のように簡単に表現することができる。以下の説明において、本発明の一実施例に係るＣＳＩ−ＲＳ−Ｃｏｎｆｉｇ  ＩＥを説明する時、表６のＣＳＩ−ＲＳ−Ｃｏｎｆｉｇ  ＩＥに基づいて説明する。
【００７６】
【表６】
0005960829.tif 000008
【００７７】
１）基地局は、複数のＣＳＩ  ＲＳ構成によって複数個のＣＳＩ−ＲＳ−Ｃｏｎｆｉｇ  ＩＥを端末に送信し、各ＣＳＩ−ＲＳ−Ｃｏｎｆｉｇ  ＩＥの用途を別途にシグナリングし、又は各ＣＳＩ−ＲＳ−Ｃｏｎｆｉｇ  ＩＥ内に用途に対する情報を追加することができる。
【００７８】
２）基地局は、用途によって互いに異なるＣＳＩ−ＲＳ−Ｃｏｎｆｉｇ  ＩＥを送信する一方で、同じ用途で使われるＣＳＩ  ＲＳ構成は、一つのＣＳＩ−ＲＳ−Ｃｏｎｆｉｇ  ＩＥを介して指示されることができる。各用途によるＣＳＩ−ＲＳ−Ｃｏｎｆｉｇ  ＩＥは、互いに異なる名称によって区別され、又はＣＳＩ−ＲＳ−Ｃｏｎｆｉｇ  ＩＥ内に用途を指示するビットによって区別されることができる。表７は、用途によるＣＳＩ  ＲＳ構成を指示するＣＳＩ−ＲＳ−Ｃｏｎｆｉｇ  ＩＥの一例を示す。
【００７９】
【表７】
0005960829.tif 000009
【００８０】
表７を参照すると、同じ用途を有する複数のＣＳＩ  ＲＳ構成が一つのＣＳＩ−ＲＳ−Ｃｏｎｆｉｇ内に割り当てられる。表７において、ｚｅｒｏＴｘＰｏｗｅｒＣＳＩ−ＲＳ  ＩＥは、便宜上、省略され、ＣＳＩ−ＲＳ−Ｃｏｎｆｉｇ  ＩＥは、表７に表示されない他のフィールド又はＩＥを含むことができる。
【００８１】
表８は、用途によるＣＳＩ  ＲＳ構成を指示するＣＳＩ−ＲＳ−Ｃｏｎｆｉｇ  ＩＥの他の例を示す。
【００８２】
【表８】
0005960829.tif 000010
【００８３】
表８を参照すると、同じ用途を有する複数のＣＳＩ  ＲＳ構成がＣＳＩ−ＲＳ−Ｃｏｎｆｉｇ内でビットマップで指示される。基地局は、同じ用途で使われることができるＣＳＩ  ＲＳ構成をビットマップで指示することができる。表８において、ｚｅｒｏＴｘＰｏｗｅｒＣＳＩ−ＲＳ  ＩＥは、便宜上、省略され、ＣＳＩ−ＲＳ−Ｃｏｎｆｉｇ  ＩＥは、表８に表示されない他のフィールド又はＩＥを含むことができる。
【００８４】
３）基地局は、一つの端末に一つのＣＳＩ−ＲＳ−Ｃｏｎｆｉｇ  ＩＥを送信する。一つのＣＳＩ−ＲＳ−Ｃｏｎｆｉｇ  ＩＥ内に用途によって互いに異なるｃｓｉ−ＲＳ  ＩＥが構成されることができる。各用途によるｃｓｉ−ＲＳ  ＩＥは、互いに異なる名称によって区別され、又はｃｓｉ−ＲＳ  ＩＥ内に用途を指示するビットによって区別されることができる。表９は、用途によるＣＳＩ  ＲＳ構成を指示するＣＳＩ−ＲＳ−Ｃｏｎｆｉｇ  ＩＥの他の例を示す。
【００８５】
【表９】
0005960829.tif 000011
【００８６】
表９を参照すると、一つの端末に一つのＣＳＩ−ＲＳ−Ｃｏｎｆｉｇ  ＩＥが送信され、ＣＳＩ−ＲＳ−Ｃｏｎｆｉｇ  ＩＥ内に用途によってｃｓｉ−ＲＳが割り当てられる。各用途によるＣＳＩ  ＲＳ構成は、ｃｓｉ−ＲＳ  ＩＥ内でビットマップで指示されることができる。表９において、ｚｅｒｏＴｘＰｏｗｅｒＣＳＩ−ＲＳ  ＩＥは、便宜上、省略され、ＣＳＩ−ＲＳ−Ｃｏｎｆｉｇ  ＩＥは、表９に表示されない他のフィールド又はＩＥを含むことができる。
【００８７】
表１０は、用途によるＣＳＩ  ＲＳ構成を指示するＣＳＩ−ＲＳ−Ｃｏｎｆｉｇ  ＩＥの他の例を示す。
【００８８】
【表１０】
0005960829.tif 000012
【００８９】
表１０を参照すると、一つの端末に一つのＣＳＩ−ＲＳ−Ｃｏｎｆｉｇ  ＩＥが送信され、ＣＳＩ−ＲＳ−Ｃｏｎｆｉｇ  ＩＥ内に用途によってｃｓｉ−ＲＳが割り当てられる。同じ用途を有する複数のＣＳＩ  ＲＳ構成が一つのＣＳＩ−ＲＳ−Ｃｏｎｆｉｇ内に割り当てられる。表１０において、ｚｅｒｏＴｘＰｏｗｅｒＣＳＩ−ＲＳ  ＩＥは、便宜上、省略され、ＣＳＩ−ＲＳ−Ｃｏｎｆｉｇ  ＩＥは、表１０に表示されない他のフィールド又はＩＥを含むことができる。
【００９０】
以上の実施例で説明したＣＳＩ−ＲＳ−Ｃｏｎｆｉｇ  ＩＥは、例示に過ぎない。また、以上の実施例において、ｚｅｒｏＴｘＰｏｗｅｒＣＳＩ−ＲＳ  ＩＥは、便宜上、省略されたが、零電力ＣＳＩ  ＲＳ構成も用途によって割り当てられることができる。例えば、同じ用途のＣＳＩ  ＲＳ構成と零電力ＣＳＩ  ＲＳ構成が一つのＣＳＩ−ＲＳ−Ｃｏｎｆｉｇ  ＩＥに含まれ、又は一つのＣＳＩ−ＲＳ−Ｃｏｎｆｉｇ  ＩＥに各用途によるＣＳＩ  ＲＳ構成と零電力ＣＳＩ  ＲＳ構成の両方ともが含まれることもできる。即ち、端末は、多様な用途のＣＳＩ  ＲＳ構成と零電力ＣＳＩ  ＲＳ構成の設定を受けることができる。
【００９１】
図１０は、本発明の一実施例に係る端末の動作方法を示す。
【００９２】
ステップＳ１００において、端末は、基地局から第１の用途を指示する少なくとも一つの第１のＣＳＩ  ＲＳ構成を受信し、前記基地局から前記第１の用途と互いに異なる第２の用途を指示する、前記少なくとも一つの第１のＣＳＩ  ＲＳ構成と互いに異なる少なくとも一つの第２のＣＳＩ  ＲＳ構成を受信する。ステップＳ１１０において、端末は、前記第１の用途に基づいて第１の動作を実行し、前記第２の用途に基づいて第２の動作を実行する。以上で説明した多様なＣＳＩ  ＲＳ構成が適用されることができる。
【００９３】
図１１は、本発明の実施例が具現される無線通信システムのブロック図である。
【００９４】
基地局８００は、プロセッサ（ｐｒｏｃｅｓｓｏｒ）８１０、メモリ（ｍｅｍｏｒｙ）８２０、及びＲＦ部（ｒａｄｉｏ  ｆｒｅｑｕｅｎｃｙ  ｕｎｉｔ）８３０を含む。プロセッサ８１０は、提案された機能、過程及び／又は方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／又は受信する。
【００９５】
端末９００は、プロセッサ９１０、メモリ９２０、及びＲＦ部９３０を含む。プロセッサ９１０は、提案された機能、過程及び／又は方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び／又は受信する。
【００９６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段でプロセッサ８１０、９１０と連結されることができる。
【００９７】
前述した例示的なシステムにおいて、方法は一連のステップ又はブロックで順序図に基づいて説明されているが、本発明は、ステップの順序に限定されるものではなく、あるステップは、前述と異なるステップと、異なる順序に又は同時に発生することができる。また、当業者であれば、順序図に示すステップが排他的ではなく、他のステップが含まれ、又は順序図の一つ又はそれ以上のステップが本発明の範囲に影響を及ぼさずに削除可能であることを理解することができる。
【図１】
0005960829.tif 000013
【図２】
0005960829.tif 000014
【図３】
0005960829.tif 000015
【図４】
0005960829.tif 000016
【図５】
0005960829.tif 000017
【図６】
0005960829.tif 000018
【図７】
0005960829.tif 000019
【図８】
0005960829.tif 000020
【図９】
0005960829.tif 000021
【図１０】
0005960829.tif 000022
【図１１】
0005960829.tif 000023